(57)【要約】【課題】開閉機構付の消火ノズルにおいて、開放時の反動力を低減するとともに開放操作を容易にすること。【解決手段】ノズル筺体内において流水経路に沿って摺動し得る両端開口の制御筒（６）を挿入し、制御筒（６）をノズル開口部方向に附勢する附勢手段（１０）を設け、制御筒（６）の消火ホース側端部に第一受圧面（６ａ’）を形成し、制御筒（６）のノズル開口部側端部に第一受圧面より大きな受圧面積を有する第二受圧面（６ｂ’，６ｂ”）を形成し、第二受圧面に作用する二次側圧力により制御筒（６）を附勢手段の附勢力に抗して摺動し得るように構成し、ノズル開閉機構の閉止状態において二次側圧力による制御筒（６）の摺動に伴って制御筒端部の当接により流水経路を閉鎖する弁座（１３）を設ける。【選択図】  図１
2004329486.tif 000002
【特許請求の範囲】
【請求項１】
消火ホース接続部を有すると共にノズル開口部を開閉するノズル開閉機構を有する消火ノズルにおいて、
ノズル筺体内に流水経路に沿って摺動し得る両端開口の制御筒を挿入すると共に、該制御筒を上記ノズル開口部方向に附勢する附勢手段を設け、
上記制御筒の上記消火ホース側に一次側圧力の第一受圧面を形成すると共に、上記制御筒のノズル開口部側に上記第一受圧面より大きな受圧面積を有する二次側圧力の第二受圧面を形成し、該第二受圧面に作用する二次側圧力により上記制御筒を上記附勢手段の附勢力に抗して摺動し得るように構成し、
かつ上記ノズル筺体内に上記制御筒の端部に対向する弁座を設け、
上記ノズル開閉機構の閉止状態において、上記二次側圧力による上記制御筒の上記摺動に伴って上記制御筒端部を弁座に当接して上記ノズル開口部方向に向かう流水経路を閉鎖し得るように構成したものであることを特徴とする消火ノズル。
【請求項２】
上記弁座を、保持手段を以って上記ノズル筺体内に同心的に保持することにより、上記消火ホース接続部から該弁座の周縁部を介して上記制御筒に向かう流水経路を形成し、
上記制御筒端部の上記弁座への当接により上記流水経路を閉鎖し得るように構成したものであることを特徴とする請求項１記載の消火ノズル。
【請求項３】
上記ノズル開閉機構は、
上記ノズル筺体の先端中央部に設けられたデフレクターと、上記ノズル筺体先端部に装着されたノズル開閉用外筒により構成され、
上記外筒に設けられた当接面を上記デフレクターに当接又は離間することにより上記ノズルを開閉するものであることを特徴とする請求項１又は２記載の消火ノズル。
【請求項４】
上記ノズル開閉機構の閉状態から開状態への移行に伴って、
上記制御筒が上記二次側圧力の減圧によって逆方向に摺動し、その端部が上記弁座から離間し得るように構成し、
かかる離間状態において、上記制御筒端部が上記弁座に接近した流量制限状態を維持するように上記附勢手段の附勢力を設定し、
上記二次側圧力を上記一次側圧力に対して減圧した状態で消火水を放水し得るように構成したものであることを特徴とする請求項１〜３の何れかに記載の消火ノズル。
【発明の詳細な説明】
【０００１】
【発明の属する技術分野】
本発明は、消火栓に接続される消火ホースの先端に設けられるノズル開閉機構付の消火ノズルに関するものである。
【０００２】
【従来の技術】
従来、図５に示すように、消火ノズル筺体３０内にスプリング３１にて消火ホースＨ方向に常時附勢された弁体３２を設け、ノズル開口部Ｗから消火水を放出している状態において、何らかの原因で一次側圧力Ｐ１が増大すると、当該圧力によりスプリング３１の附勢力に抗して弁体３２を開口部Ｗ方向（矢印Ａ方向）に摺動させ、これによりバイパス流路ｋ４を流れる流体流量を減少させ、その結果、主流路ｋ３及びバイパス流路ｋ４により構成されるに二次側流体流量を抑制して二次側圧力を低下させ、ノズル開口部Ｗに供給される流体圧力を一次側圧力に対して低減させる構成の消火ノズルがある。
【０００３】
また、消火ホース先端の消火ノズルにおいて、ノズル内部にオリフィスを設けると共に、消火ノズル内の放水圧力により摺動する摺動体を設け、放水圧力の増加に基づく上記摺動体の摺動により上記オリフィスを絞って開口部近傍の圧力を低下させ、これにより放水圧力を調整するものが提案されている（特許文献１参照）。
【０００４】
【特許文献１】
特開平１１−４７３０１号公報
【０００５】
【発明が解決しようとする課題】
ところで、図５の消火ノズルは、上記ノズル開口部Ｗの閉止状態においては、上記弁体３２は摺動動作を行い得ないため、上記弁体３２の一次側及び二次側の圧力は同一圧力（例えば１ＭＰａ）に維持される。従って、このような止水状態から上記ノズル開閉用外筒３３を回転して上記ノズルを開放すると、一次側の高圧の放水圧力がそのまま二次側に加わるため、ノズルを開放した瞬間に消火ノズルの操作者に強い反動力が作用するとの課題があった。
【０００６】
また、特許文献１に記載の消火ノズルでは、放水動作時の二次側圧力を低減し得るが、ノズルの閉止機構を有していないため、消火栓を開放すると消火ノズルを操作者が保持しているか否かに拘らず消火ノズルから消火水が噴出すため、適確な消火作業を行い難い点があるし、その圧力制御機構が複雑であるとの課題がある。
【０００７】
本発明はかかる従来技術に鑑みてなされたもので、ノズル開閉機構付の消火ノズルにおいて、ノズル閉止時においてもノズル内の開口部側の二次側圧力を一次側圧力より低圧に設定し得て消火作業を安全、円滑に行い得る消火ノズルを提供することを目的とする。
【０００８】
【課題を解決するための手段】
本発明は上記目的を達成するために、
第１に、消火ホース接続部を有すると共にノズル開口部を開閉するノズル開閉機構を有する消火ノズルにおいて、ノズル筺体内に流水経路に沿って摺動し得る両端開口の制御筒を挿入すると共に、該制御筒を上記ノズル開口部方向に附勢する附勢手段を設け、上記制御筒の上記消火ホース側に一次側圧力の第一受圧面を形成すると共に、上記制御筒のノズル開口部側に上記第一受圧面より大きな受圧面積を有する二次側圧力の第二受圧面を形成し、該第二受圧面に作用する二次側圧力により上記制御筒を上記附勢手段の附勢力に抗して摺動し得るように構成し、かつ上記ノズル筺体内に上記制御筒の端部に対向する弁座を設け、上記ノズル開閉機構の閉止状態において、上記二次側圧力による上記制御筒の上記摺動に伴って上記制御筒端部を弁座に当接して上記ノズル開口部方向に向かう流水経路を閉鎖し得るように構成したものであることを特徴とする消火ノズルにより構成されるものである。
【０００９】
上記ノズル筺体は第一筺体（１Ａ）及び第二筺体（１Ｂ）により構成することができる。上記附勢手段は例えばスプリング（１０）により構成することができる。上記第一受圧面は例えば制御筒（６）の受圧面（６ａ’）、上記第二受圧面は該制御筒（６）の受圧面（６ｂ’，６ｂ”）により構成することができる。このように構成すると、上記開閉機構の閉止状態において消火ノズル内に消火水が流入すると、上記制御筒（６）の一次側圧力と二次側圧力の受圧面の面積差による上記制御筒への作用力（Ｆ２）によって上記制御筒（６）がノズル筺体内で摺動して弁座（１３）に当接し、これによりノズル開口部方向に向かう流水経路が閉鎖される。従って、ノズル開口部の閉鎖状態において二次側空間（Ｒ２）内の圧力を一次側空間（Ｒ１）内の圧力より低圧に維持することができ、上記ノズル開閉機構の開放時の反動力を低減することができる。
【００１０】
第２に、上記弁座を、保持手段を以って上記ノズル筺体内に同心的に保持することにより、上記消火ホース接続部から該弁座の周縁部を介して上記制御筒に向かう流水経路を形成し、上記制御筒端部の上記弁座への当接により上記流水経路を閉鎖し得るように構成したものであることを特徴とする上記第１記載の消火ノズルにより構成されるものである。
【００１１】
このように構成すると、上記制御筒端部を上記弁座（１３）に当接することにより上記流水経路を閉鎖し得るし、上記制御筒端部と上記弁座（１３）との間隔により上記開口部方向に向かう流水量を制御することができる。
【００１２】
第３に、上記ノズル開閉機構は、上記ノズル筺体の先端中央部に設けられたデフレクターと、上記ノズル筺体先端部に装着されたノズル開閉用外筒により構成され、上記外筒に設けられた当接面を上記デフレクターに当接又は離間することにより上記ノズルを開閉するものであることを特徴とする上記第１又は２記載の消火ノズルにより構成されるものである。
【００１３】
上記ノズル開閉用外筒は例えば上記ノズル筺体（１Ｂ）先端部に螺着されたノズル開閉用外筒（１７）により構成することができる。このように構成すると、上記開閉機構の閉止状態において、ノズル筺体の二次側空間（Ｒ２）内の圧力を一次側空間（Ｒ１）内の圧力より低圧に設定することができ、これにより開閉機構の開放時の反動力を減少させて安全に消火作業を行うことができる。
【００１４】
第４に、上記ノズル開閉機構の閉状態から開状態への移行に伴って、上記制御筒が上記二次側圧力の減圧によって逆方向に摺動し、その端部が上記弁座から離間し得るように構成し、かかる離間状態において、上記制御筒端部が上記弁座に接近した流量制限状態を維持するように上記附勢手段の附勢力を設定し、上記二次側圧力を上記一次側圧力に対して減圧した状態で消火水を放水し得るように構成したものであることを特徴とする第１〜３の何れかに記載の消火ノズルにより構成されるものである。
【００１５】
このように構成すると、消火ノズルの二次側圧力を一次側圧力に対して減圧した状態で消火水を放水することができるため、安全に消火活動を行うことができる。
【００１６】
尚、本欄において本発明の構成に対応して実施形態中の部材の符合をかっこ書で示したが、これは対応関係を明確にするために便宜上付したものであり、本発明がこれらの構成部材に限定されるものではない。
【００１７】
【発明の実施の形態】
以下、本発明の実施の形態を詳細に説明する。図１は、本発明に係る消火ノズルの側面断面図を示すものである。
【００１８】
かかる図において、１は消火ノズルであり、筒状の第一筺体１Ａと、該筺体１Ａ先端の螺子部２に螺合状態で結合された同じく筒状の第２筺体１Ｂとから構成されており、上記第一筺体１Ａの後部のホース接続部３に消火栓（図示せず）からの消火ホースＨが接続され、上記第一筺体１Ａから第二筺体１Ｂ方向への流水経路Ｋが形成されるように構成されている。
【００１９】
上記第一筺体１Ａ内部の略中間部には、環状の小径段部４が形成されており、該小径段部４の上面にスプリング１０を保持するための保持面４ａが形成されると共に、該小径段部４内周面には後述の制御筒６の外周面に接触してスプリング保持空間Ｓ内と上記第一筺体１Ａ内部とを止水するオーリング５が環装されている。上記第二筺体１Ｂの内径は上記第１筺体１Ａの上記螺子部２の内径よりも小径に形成されており、これにより両筺体１Ａ，１Ｂの結合部における上記第二筺体１Ｂ内には上記制御筒６の位置規制用の保持面７が形成されている。
【００２０】
６は上記第一筺体１Ａ内において流水経路Ｋに沿って摺動可能に挿入された両端開口の制御筒であり、外周面が上記小径段部４内周面に摺接する下側筒部６ａと、外周面が上記第二筺体１Ｂの内周面に摺接する上側筒部６ｂとから構成されており、上記下側筒部６ａにおける端部に一次側圧力Ｐ１（矢印Ａ方向）の第一受圧面６ａ’（流水経路Ｋに対して直交する面）が形成され、上記上側筒部６ｂの端部に二次側圧力Ｐ２（矢印Ｂ方向）の第二受圧面６ｂ’（流水経路Ｋに対して直交する面）が形成されている。この第二受圧面６ｂ’の受圧面積は上記第一受圧面６ａ’の受圧面積と同一面積となるように構成されている。
【００２１】
また、上記上側筒部６ｂの外周には上記第一筺体１Ａの内面１Ａ’に摺接する環状の大径段部８が形成されており、該大径段部８外周にはオーリング９が環装され該オーリング９が上記内面１Ａ’に接触することで、上記スプリング保持空間Ｓと上記第一筺体１Ａ内部とが止水された状態となっている。この制御筒６の大径段部８上面には上記保持面７に対向する二次側の第二受圧面６ｂ”（流水経路Ｋに体して直交する面）が形成されており、これにより当該制御筒６の第二受圧面６ｂ’、６ｂ”の合計面積は、上記第一受圧面６ａ’の面積より大となるように構成されている。尚、上記制御筒６の第二受圧面６ｂ’からノズル開口部Ｗ方向の空間を二次側空間Ｒ２という。
【００２２】
上記制御筒６の上側筒部６ｂ外周と第二筺体１Ｂ内周面との間、及び上記保持面７と上記第二受圧面６ｂ”との間には僅かなクリアランス（０．２〜０．３ｍｍ程度）が形成されるように構成されており、ノズル１内に供給された水が上記クリアランス内に流入し、上記第二受圧面６ｂ”にも二次側圧力Ｐ２が作用し得るように構成されている（図３参照）。尚、この場合、上記上側筒部６ｂ外周と上記二次側受圧面６ｂ”に、該上側筒部６ｂの外周から第二受圧面６ｂ”に至る連続的な凹溝６”を形成することが好ましい。このように構成すると、上記クリアランス内に確実に消火水を流入させて、上記第二受圧面６ｂ”に確実に二次側圧力Ｐ２を作用させることができる。
【００２３】
１０はスプリングであり、上記大径段部８の上記第二受圧面６ｂ”に対向するスプリング保持面１１と上記第一筺体１Ａの上記スプリング保持面４ａとの間に形成されたスプリング保持空間Ｓ内に装着されており、上記スプリング保持面１１を介して常時上記制御筒６を流水経路Ｋ方向（矢印Ａ方向）に附勢することで、上記制御筒６をその第二受圧面６ｂ”が上記保持面７に当接した状態（図１の状態）に保持するものである。従って、上記制御筒６は、放水時以外（流路に消火水が存在しない状態）では、図１の位置を維持しており、かかる状態においては上記第一受圧面６ａ’と後述の弁座１３周縁部との間に間隔ｔ１の流水経路ｋ１を形成した状態となっている。ここで、上記第一筺体１Ａ内における上記小径段部４から消火ホース接続部３側の空間を一次側空間Ｒ１という。尚、Ｓ’はスプリング保持空間Ｓに穿設された大気開放孔である。
【００２４】
１３は、上記一次側筺体１Ａ内における上記ホース接続部３と上記制御筒６との中間位置（一次側空間Ｒ１内）に設けられた弁座であり、図２に示すように上記第一筺体１Ａ内周面から当該ノズル中心軸ａに向けて１２０度の角度差を以ってスポーク状に設けられた３枚の直立リブ１２ａ，１２ｂ、１２ｃにより、流水経路Ｋに直交するように水平に固定されている。この弁座１２はその外周が上記リブ１２ａ〜１２ｃの直立内面１２に固定された状態でノズル中心軸ａを中心として第一筺体１Ａと同心的に固定されており、ホースＨから供給される消火水は図中矢印ｋ１方向の流水径路を形成して上記制御筒６内に流入するものである。また、当該弁座１３の直径は、少なくとも上記制御筒６端部（第一受圧面６ａ’）の内周の直径より大となるように構成されている。従って、上記制御筒６が二次側圧力Ｐ２により矢印Ｂ方向に摺動して上記弁座１３に当接したときは（図３参照）、上記流水経路ｋ１が閉鎖されるように構成している。
【００２５】
１４は、上記第二筺体１Ｂの先端部にスポーク部１５で保持されたデフレクター保持体であり、その先端部に上記中心軸ａを中心とした円盤状のデフレクター１４ａが螺合固定されている。このデフレクター１４ａの下面には弾性体からなる止水用のシートパッキン１６が貼着されている。
【００２６】
１７はノズル開閉用外筒であり、螺子部１７’を有する下外筒部１７ａと上記デフレクター１４ａと共に流水経路ｋ２を形成する上外筒部１７ｂとから構成されており、該上外筒部１７ｂ内部には、環状の小径段部１８が形成され、ノズル閉止状態においては該小径段部１８上面の当接面１８ａが上記シートパッキン１６に密着して止水し得るように構成されている（図３の状態）。このノズル開閉用外筒１７は上記第二筺体１Ｂの先端の螺子部２０に上記螺子部１７’を以って螺着されており、該外筒１７を一方向に回転させて上記下外筒部１７ａ下端が上記第二筺体１Ｂの受面２１に当接した状態で上記シートパッキン１６と上記当接面１８ａとが所定距離離れたノズル開状態に設定し得るように構成されている（図１実線の状態）。
【００２７】
このノズル開状態において、上記デフレクター保持体１４と上記上外筒部１７ｂ間には図１中矢印方向の流水経路ｋ２が形成され、消火水はデフレクター１４ａと開閉用外筒１７先端間のノズル開口部Ｗから外部に放水される。また、上記ノズル開閉用外筒１７を図１のノズル開状態から逆方向に回転させて図３に示すように上記シートパッキン１６と当接面１８ａとを密着させることにより、ノズル閉状態（止水状態）に設定し得るように構成されている。尚、１９は上記第二筺体１Ｂ外周に環装されたオーリングであり、上記開閉用外筒１７内周面に当接して上記筺体１Ｂと上記外筒１７間を止水するものである。
【００２８】
ここで、上記スプリング１０の附勢力と一次側圧力又は二次側圧力による力との関係を説明する。上記ノズル開閉用外筒１７によりノズル開口部Ｗを閉鎖した状態において該ノズル内に消火水を充満させた場合（図３参照）、上記制御筒６の第一受圧面６ａ’に比べて第二受圧面６ｂ’，６ｂ”の受圧面積が大なので、該第二受圧面６ｂ’，６ｂ”に作用する力により上記制御筒６は矢印Ｂ方向に摺動する。このとき上記スプリング１０の附勢力Ｆ３（上記制御筒６を矢印Ａ方向（ノズル開口部Ｗ方向）に附勢する附勢力）は、上記第二受圧面６ｂ’及び６ｂ”に作用する二次側圧力Ｐ２によって上記制御筒６を矢印Ｂ方向（ホース接続部３方向）に作用する力Ｆ２よりも小となるように調整されている（Ｆ２＞Ｆ３）。従って、かかるノズル閉鎖状態においては、上記第二受圧面６ｂ’，６ｂ”に作用する二次側圧力Ｐ２により上記制御筒６が上記スプリング１０の附勢力Ｆ３に抗して矢印Ｂ方向に摺動し、上記弁座１３に上記制御筒６の端部（第一受圧面６ａ’）が接触して上記流水経路ｋ１を完全に閉鎖し得るように構成している（図３の状態）。
【００２９】
また、かかるノズル閉鎖状態から上記ノズル開閉用外筒１７を以ってノズル開口部Ｗを開いて消火水を上記開口部Ｗから放水すると（図４の状態）、上記開口部Ｗの開放に伴う二次側空間Ｒ２内の二次側圧力Ｐ２の低下により上記第二受圧面６ｂ’，６ｂ”に作用する力が低下するため（低下後の作用力をＦ２’（＜Ｆ２）とする）、上記制御筒６が、上記スプリング１０の附勢力Ｆ３により若干後退して、その端部が上記弁座１３から離間するが、このとき、上記制御筒６が図１のように完全に後退することなく、図４に示すように上記制御筒６端部と上記弁座１３との間隔ｔ２（ｔ２＜ｔ１）が形成された状態を維持するように上記スプリング１０の附勢力Ｆ３を設定する。従って、上記ノズル開口部Ｗを閉止状態から開放状態に移行すると、二次側圧力Ｐ２の低下により上記制御筒６が開口部Ｗ方向（矢印Ａ方向）に若干後退してその端部が上記弁座１３から離間して、流水経路ｋ１が形成されるが、上記制御筒６は図１の完全開放状態にならずに、図４に示すように上記流水経路ｋ１が、図１の完全開放状態に比べて絞り込まれた流量制限状態を維持するように構成している。これにより、放水時は、二次側空間Ｒ２の圧力が一次側空間Ｒ１の圧力より低下した状態が維持される。即ち、消火水の放水時は上記制御筒６を減圧弁として作用するように構成している。
【００３０】
本発明は上述のように構成されるものであるから、消火動作時以外は、ノズル開閉用外筒１７を回転させ、図１二点鎖線に示すように該筒１７の当接面１８ａをデフレクター１４ａのシートパッキン１６に密着させて止水状態としている。
【００３１】
火災が発生した場合は、図示しない消火栓を開くと、消火ホースＨに消火水が供給され、当該消火水は所定圧力（例えば１ＭＰａ）で消火ノズル１内に流入して該ノズル１内に充満し、これにより上記制御筒６の第一受圧面６ａ’に矢印Ａ方向の一次側圧力Ｐ１が作用すると共に、上記凹溝６”内に消火水が流入し上記制御筒６の二次側受圧面６ｂ’及び６ｂ”に矢印Ｂ方向の二次側圧力Ｐ２が作用する。
【００３２】
ここで、上記第一受圧面６ａ’と第二受圧面６ｂ’，６ｂ”との面積は、第二受圧面６ｂ’，６ｂ”の合計面積が第一受圧面６ａ’の面積よりも大なので、「第二受圧面６ｂ’，６ｂ”に矢印Ｂ方向に作用する力Ｆ２＞第一受圧面６ａ’に矢印Ａ方向に作用する力Ｆ１」となり、上記制御筒６は上記力Ｆ２により上記スプリング１０の附勢力Ｆ３（＜Ｆ２）に抗して矢印Ｂ方向に摺動し、上記流路ｋ１を絞りながら、即ち、二次側圧力を減圧しながら、該制御筒６の下側筒部６ａの端部が弁座１３に接触するまで摺動する。これにより、上記二次側空間Ｒ２の圧力が上記一次側空間Ｒ１の圧力と同圧になる以前に、上記第一受圧面６ａ’と弁座１３との間隔がゼロとなり（図３参照）、一次側空間Ｒ１から上記二次側空間Ｒ２への流水経路ｋ１が閉鎖された状態となる。その結果、図３のノズル閉止状態において二次側空間Ｒ２の圧力が一次側空間Ｒ１の圧力より低下した状態が維持される（例えば二次側圧力が０．３ＭＰａ）。即ち、上記ノズル開閉用外筒１７の閉止状態において、第二筺体１Ｂ内（二次側空間Ｒ２）の圧力を一次側圧力より常に減圧された状態に維持することができる。尚、この場合Ｐ２＜Ｐ１となっても、上記二次側受圧面６ｂ’，６ｂ”の受圧面積が上記第一受圧面６ａ’の受圧面積より大きいため、かかるノズル閉止状態において、Ｆ２＞Ｆ３の状態が維持され、二次側圧力空間Ｒ２の圧力が一次側圧力空間Ｒ１の圧力より低圧の状態となり、かかる状態が維持される。
【００３３】
放水する場合は、かかるノズル閉止状態（図３の状態）からノズル開閉用外筒１７を回転させて上記シートパッキン１６から当接面１８ａを離間させた図４の状態とし、ノズル開口部Ｗを形成すれば良い。すると、上記開口部Ｗから消火水が放出され消火活動を行うことができる。このとき、上述のように二次側空間Ｒ２内の圧力（０．３ＭＰａ）が一次側空間Ｒ１の圧力（１ＭＰａ）より低圧となっているので、開放時の放水圧力による反動力を低減することができ、安全にノズル開操作及び消火活動を行うことができる。
【００３４】
また、二次側空間Ｒ２の圧力が一次側空間Ｒ１より低圧となっているので、ノズル開閉用外筒１７の回転操作力も従来の消火ノズルと比較して小さくなり、ノズルの開閉操作性を向上することができるものである。
【００３５】
ノズル開放後の消火水の放出中においては、ノズル開口部Ｗの開放により二次側空間Ｒ２内の二次側圧力の低下（Ｐ２→Ｐ２’）に基づいて、上記スプリング１０の附勢力Ｆ３により上記制御筒６は若干矢印Ａ方向に摺動（後退）してその端部が上記弁座１３から離間する。これにより、上記制御筒６端部と上記弁座１３との間隔ｔ２（＜ｔ１）が形成された状態となり、図４に示すように流水経路ｋ１を絞り込んだ流量制限状態を維持する。このため、上記一次側空間Ｒ１から二次側空間Ｒ２への流水流量が絞り込まれ、これによりノズル１内の二次側空間Ｒ２内の圧力が一次側空間Ｒ１内の圧力より減圧された状態（例えば０．２５ＭＰａ）を維持し得る。従って、上記放水状態においても、減圧された消火水を放水し得て、安全に放水活動を行い得るものである。
【００３６】
上述のように、本発明によると、ノズル閉止状態の消火ノズル１において、消火栓を開放して消火ノズル１内に消火水を供給すると、ノズル筺体内の二次側空間Ｒ２内の圧力を一次側空間Ｒ１内の圧力より低圧に設定することができるため、ノズル開放時の消火水圧力による反動力を減少することができ、安全に消火作業を行うことができるし、ノズル開閉用外筒１７の回転時の操作力も減少させることができ、操作性をも向上させることができるものである。
【００３７】
また、放水時においても、上記制御筒６を減圧弁として作用させることで、消火ノズルの二次側の圧力を一次側圧力より減圧し得るため、安全に消火活動を行い得るものである。
【発明の効果】
以上のように、本発明によると、ノズル閉止状態の消火ノズルにおいて、消火栓を開放して消火ノズル内に消火水を供給した場合において、ノズル筺体内のノズル開口部側の圧力をホース接続部側の圧力より低圧に設定することができるため、ノズル開放時の消火水圧力による反動力を減少することができ、安全に消火作業を行うことができる。
【００３８】
また、ノズル閉止状態のノズル筺体内の圧力を低圧に設定することができるので、ノズル開閉機構の操作力も減少させることができ、ノズル開閉操作性を向上させることができるものである。
【００３９】
また、放水時においても、消火ノズルの二次側圧力を一次側圧力より減圧し得るため、安全に消火活動を行い得るものである。
【図面の簡単な説明】
【図１】本発明に係る消火ノズルの側面断面図である。
【図２】同上ノズルにおける弁座近傍の横断面図である。
【図３】同上ノズルのノズル閉止状態の側面断面図である。
【図４】同上ノズルのノズル開放状態の側面断面図である。
【図５】従来の消火ノズルの側面断面図である。
【符号の説明】
１    消火ノズル
１Ａ    第一筐体
１Ｂ    第二筐体
３    消火ホース接続部
６    制御筒
６ａ’    第一受圧面
６ｂ’，６ｂ”    第二受圧面
１０    スプリング
１２ａ〜１２ｃ    直立リブ
１３    弁座
１４ａ    デフレクター
１７    ノズル開閉用外筒
１８ａ    当接面
Ｋ，ｋ１、ｋ２    流水経路
Ｗ    ノズル開口部
【図１】
2004329486.tif 000003
【図２】
2004329486.tif 000004
【図３】
2004329486.tif 000005
【図４】
2004329486.tif 000006
【図５】
2004329486.tif 000007